【手続補正書】
【提出日】平成17年2月18日(2005.2.18)
【手続補正１】
【補正対象書類名】明細書
【補正対象項目名】発明の名称
【補正方法】変更
【補正の内容】
【発明の名称】封止部材、トナー補給容器及び画像形成装置
【手続補正２】
【補正対象書類名】明細書
【補正対象項目名】特許請求の範囲
【補正方法】変更
【補正の内容】
【特許請求の範囲】
【請求項１】
画像形成装置に着脱可能なトナー補給容器のトナー排出口を封止する封止部と、前記画像形成装置の駆動部とカップリング可能なカップリング部と、を有する封止部材において、
前記カップリング部は、前記駆動部に対し相対的に近づく動作に伴い前記駆動部によって変位し前記駆動部の係止穴に係止される突起と、前記突起が前記係止穴に係止したまま前記封止部が前記トナー補給容器に対し相対移動することによって前記トナー排出口を開封した状態のとき、前記トナー補給容器を回転させるための力を前記駆動部から受ける回転力受け部と、前記封止部が前記トナー補給容器に対し相対移動することによって前記トナー排出口を再封した状態のとき、前記突起を前記係止穴から係止解除する方向へ変位させるための力を前記画像形成装置の解除部材から受ける解除力受け部と、を有することを特徴とする封止部材。
【請求項２】
前記突起は前記解除力受け部が受けた力により内方へ変位可能であることを特徴とする請求項１の封止部材。
【請求項３】
前記解除力受け部が受けた力により前記突起が変位した状態のとき、前記封止部材は前記画像形成装置に対し相対的に遠ざかる方向へ移動することを特徴とする請求項１又は２の封止部材。
【請求項４】
前記カップリング部は前記回転力受け部が受けた回転力を前記トナー補給容器に伝達する回転力伝達部を有することを特徴とする請求項１乃至３のいずれかの封止部材。
【請求項５】
前記回転力受け部は前記突起に設けられていることを特徴とする請求項１乃至４のいずれかの封止部材。
【請求項６】
前記解除力受け部は前記突起よりも前記カップリング部の後方に位置し前記解除部材の中空部内面から力を受けるべく突起状に設けられていることを特徴とする請求項１乃至５のいずれかの封止部材。
【請求項７】
前記カップリング部には前記突起及び前記解除力受け部が対を為して周方向に複数設けられていることを特徴とする請求項１乃至６のいずれかの封止部材。
【請求項８】
前記カップリング部は前記突起が前記係止穴とスナップフィット係合するように構成されていることを特徴とする請求項１乃至７のいずれかの封止部材。
【請求項９】
画像形成装置に着脱可能なトナー補給容器であって、トナーを収容する容器本体と、前記画像形成装置の駆動部とカップリング可能なカップリング部と、を有するトナー補給容器において、
前記カップリング部は、前記駆動部に対し相対的に近づく動作に伴い前記駆動部によって変位し前記駆動部の係止穴に係止される突起と、前記突起が前記係止穴に係止された状態のとき前記容器本体を回転させるための力を前記駆動部から受ける回転力受け部と、前記突起を前記係止穴から係止解除する方向へ変位させるための力を前記画像形成装置の解除部材から受ける解除力受け部と、を有することを特徴とするトナー補給容器。
【請求項１０】
前記突起は前記解除力受け部が受けた力により内方へ変位可能であることを特徴とする請求項９のトナー補給容器。
【請求項１１】
前記解除力受け部が受けた力により前記突起が変位した状態のとき、前記カップリング部を前記駆動部に対し相対的に遠ざかる方向へ移動させるための力を受ける力受け部を有することを特徴とする請求項９又は１０のトナー補給容器。
【請求項１２】
前記カップリング部は前記回転力受け部が受けた回転力を前記容器本体に伝達する回転力伝達部を有することを特徴とする請求項９乃至１１のいずれかのトナー補給容器。
【請求項１３】
前記回転力受け部は前記突起に設けられていることを特徴とする請求項９乃至１２のいずれかのトナー補給容器。
【請求項１４】
前記解除力受け部は前記突起よりも前記カップリング部の後方に位置し前記解除部材の中空部内面から力を受けるべく突起状に設けられていることを特徴とする請求項９乃至１３のいずれかのトナー補給容器。
【請求項１５】
前記カップリング部には前記突起及び前記解除力受け部が対を為して周方向に複数設けられていることを特徴とする請求項９乃至１４のいずれかのトナー補給容器。
【請求項１６】
前記カップリング部は前記突起が前記係止穴とスナップフィット係合するように構成されていることを特徴とする請求項９乃至１５のいずれかのトナー補給容器。
【請求項１７】
前記容器本体の回転に伴い前記容器本体内のトナーを搬送する搬送部を有することを特徴とする請求項９乃至１６のいずれかのトナー補給容器。
【請求項１８】
前記容器本体に設けられたトナー排出口と、前記トナー排出口を封止する封止部材と、を有し、前記突起及び前記解除力受け部は前記封止部材に設けられていることを特徴とする請求項９乃至１７のいずれかのトナー補給容器。
【請求項１９】
前記突起が前記係止穴に係止したまま前記封止部材が前記容器本体に対し相対移動することによって前記トナー排出口を開封した状態のとき、前記回転力受け部は回転力を受けることが可能であることを特徴とする請求項１８のトナー補給容器。
【請求項２０】
前記封止部材が前記容器本体に対し相対移動することによって前記トナー排出口を再封し、前記解除力受け部が受けた力により前記突起が変位した状態のとき、前記カップリング部を前記駆動部に対し相対的に遠ざかる方向へ移動させる力を受ける力受け部を有することを特徴とする請求項１９のトナー補給容器。
【請求項２１】
トナーを収容する容器本体と、カップリング部と、を有するトナー補給容器を着脱可能に装着する画像形成装置において、
前記カップリングの突起に対し相対的に近づく動作に伴い前記突起と係止可能な係止穴が設けられた駆動部と、
前記カップリング部の前記容器本体を回転させるための力を受ける回転力受け部に回転力を付与するため前記駆動部を駆動する駆動手段と、
前記突起を前記係止穴から係止解除する方向へ変位させるための力を前記カップリング部の解除力受け部へ付与する解除部材と、
を有することを特徴とする画像形成装置。
【手続補正３】
【補正対象書類名】明細書
【補正対象項目名】０００１
【補正方法】変更
【補正の内容】
【０００１】
【発明の属する技術分野】
本発明は、複写機、プリンタ、ＦＡＸ等の画像形成装置にて用いられるトナー補給容器の封止部材、トナー補給容器、及び画像形成装置に関する。
【手続補正４】
【補正対象書類名】明細書
【補正対象項目名】００１５
【補正方法】変更
【補正の内容】
【００１５】
本発明の目的は、トナー補給容器のトナー排出口を閉状態から開状態にするべく封止部材を画像形成装置に係止させる構成であるにも関わらず簡単な構成で封止部材と画像形成装置との係止状態を解除することができる封止部材を提供することである。
【手続補正５】
【補正対象書類名】明細書
【補正対象項目名】００１６
【補正方法】変更
【補正の内容】
【００１６】
本発明の他の目的は、トナー補給容器の係止部を画像形成装置に係止させる構成であるにも関わらず簡単な構成で係止部と画像形成装置との係止状態を解除することができるトナー補給容器を提供することである。
【手続補正６】
【補正対象書類名】明細書
【補正対象項目名】００１７
【補正方法】変更
【補正の内容】
【００１７】
本発明の他の目的は、トナー補給容器のトナー排出口を閉状態から開状態にするべく封止部材を画像形成装置に係止させる構成であるにも関わらず簡単な構成で封止部材と画像形成装置との係止状態を解除することができるトナー補給容器を提供することである。
【手続補正７】
【補正対象書類名】明細書
【補正対象項目名】００１８
【補正方法】変更
【補正の内容】
【００１８】
本発明の他の目的は、トナー補給容器の係止部を装着手段の被係止部に係止させる構成であるにも関わらず簡単な構成で係止部と被係止部との係止状態を解除することができる画像形成装置を提供することである。
【手続補正８】
【補正対象書類名】明細書
【補正対象項目名】００１９
【補正方法】変更
【補正の内容】
【００１９】
本発明の更に他の目的は、トナー補給容器のトナー排出口を閉状態から開状態にするべく封止部材の係止部を装着手段の被係止部に係止させる構成であるにも関わらず簡単な構成で係止部と被係止部との係止状態を解除することができる画像形成装置を提供することである。
【手続補正９】
【補正対象書類名】明細書
【補正対象項目名】００２１
【補正方法】変更
【補正の内容】
【００２１】
【課題を解決するための手段】
上記目的は本発明に係る封止部材、トナー補給容器及び画像形成装置にて達成される。要約すれば、本発明の一態様によれば、画像形成装置に着脱可能なトナー補給容器のトナー排出口を封止する封止部と、前記画像形成装置の駆動部とカップリング可能なカップリング部と、を有する封止部材において、
前記カップリング部は、前記駆動部に対し相対的に近づく動作に伴い前記駆動部によって変位し前記駆動部の係止穴に係止される突起と、前記突起が前記係止穴に係止したまま前記封止部が前記トナー補給容器に対し相対移動することによって前記トナー排出口を開封した状態のとき、前記トナー補給容器を回転させるための力を前記駆動部から受ける回転力受け部と、前記封止部が前記トナー補給容器に対し相対移動することによって前記トナー排出口を再封した状態のとき、前記突起を前記係止穴から係止解除する方向へ変位させるための力を前記画像形成装置の解除部材から受ける解除力受け部と、を有することを特徴とする封止部材が提供される。
【手続補正１０】
【補正対象書類名】明細書
【補正対象項目名】００２２
【補正方法】変更
【補正の内容】
【００２２】
本発明の他の態様によれば、画像形成装置に着脱可能なトナー補給容器であって、トナーを収容する容器本体と、前記画像形成装置の駆動部とカップリング可能なカップリング部と、を有するトナー補給容器において、
前記カップリング部は、前記駆動部に対し相対的に近づく動作に伴い前記駆動部によって変位し前記駆動部の係止穴に係止される突起と、前記突起が前記係止穴に係止された状態のとき前記容器本体を回転させるための力を前記駆動部から受ける回転力受け部と、前記突起を前記係止穴から係止解除する方向へ変位させるための力を前記画像形成装置の解除部材から受ける解除力受け部と、を有することを特徴とするトナー補給容器が提供される。
【手続補正１１】
【補正対象書類名】明細書
【補正対象項目名】００２３
【補正方法】変更
【補正の内容】
【００２３】
更に、本発明の他の態様によれば、トナーを収容する容器本体と、カップリング部と、を有するトナー補給容器を着脱可能に装着する画像形成装置において、
前記カップリングの突起に対し相対的に近づく動作に伴い前記突起と係止可能な係止穴が設けられた駆動部と、
前記カップリング部の前記容器本体を回転させるための力を受ける回転力受け部に回転力を付与するため前記駆動部を駆動する駆動手段と、
前記突起を前記係止穴から係止解除する方向へ変位させるための力を前記カップリング部の解除力受け部へ付与する解除部材と、
を有することを特徴とする画像形成装置が提供される。
【手続補正１２】
【補正対象書類名】明細書
【補正対象項目名】００２４
【補正方法】変更
【補正の内容】
【００２４】
【発明の実施の形態】
以下、本発明に係る封止部材、トナー補給容器及び画像形成装置を図面に則して更に詳しく説明する。
【手続補正１３】
【補正対象書類名】明細書
【補正対象項目名】０１７６
【補正方法】変更
【補正の内容】
【０１７６】
【発明の効果】
以上説明したように、本発明によれば、トナー補給容器と画像形成装置本体とをスナップフィット的に係止させて封止部材の自動開閉などを行う構成であっても、操作者に負担をかけることなく簡単な構成で上記係止状態を解除することができる。
【手続補正１４】
【補正対象書類名】明細書
【補正対象項目名】０１７８
【補正方法】変更
【補正の内容】
【０１７８】
本発明は、以上のような効果を得ることができる封止部材、トナー補給容器、画像形成装置を複雑化することなしに安価で提供することができる。